(57)【特許請求の範囲】
【請求項１】
内燃機関の運転中に生じたクランクケースガスから液体及び／又は固体の粒子の形状の汚染物質を分離する為の遠心分離機（２´）を備えていて、
前記遠心分離機（２´）が、
クランクケースガスから粒子を分離する為の複数の分離円板（７ａ‘）を伴っている遠心ロータ（７´）と、
その中に遠心ロータ（７´）が回転中心線（Ｒ´）の周りを回転するよう配置されている分離空間（８´）を規定しているロータハウジング（９´）と、
清浄にされるべきクランクケースガスを遠心ロータ（７´）の中央部位に導くよう配置されているガス入口（５´）と、
遠心ロータ（７´）を取り囲んでいる分離空間（８´）の部位に連通するとともに分離空間（８´）の外に清浄にされたクランクケースガスを導くよう配置されているガス出口（１０´）と、そして、
遠心ロータ（７´）を取り囲んでいる分離空間（８´）の部位に連通するとともに分離空間（８´）の外へと分離されている粒子を排出する粒子出口（１１´）と、
を備えている分離装置であって：
分離された粒子の為の収集器（１８´）を備え、前記粒子出口（１１´）が前記収集器（１８´）に連結されていて、そして、前記収集器（１８´）が前記収集器（１８´）と前記粒子出口（１１´）との間に差圧を生じさせるよう連結（５ａ´）を介し前記ガス入口（５´）と連通するよう構成されていて、それにより、分離された粒子が、前記遠心分離機（２´）の動作中に、前記粒子出口（１１´）の外へ及び前記収集器（１８´）の中へと引かれ、
前記収集器（１８´）が、収集されている粒子が前記連結（５ａ´）を介し移動され前記遠心分離機の前記ガス入口（５´）へと戻ることを阻止するよう、前記収集器の内側に構成されている分離機を備えている、
ことを特徴としている分離装置。
【請求項２】
前記収集器（１８´）の内側の前記分離機がサイクロン分離機として構成されている、請求項１に記載の分離装置。
【請求項３】
前記収集器（１８´）の内側の前記分離機がバッフル分離機として構成されている、請求項１に記載の分離装置。
【請求項４】
内燃機関（３´）の運転中に生じたクランクケースガスから液体及び／又は固体の粒子の形状の汚染物質を分離する為の、内燃機関及び遠心分離機・組立体（１´）であって、前記機関のクランクケース（４´）が前記遠心分離機（２´）に連結されており、
前記遠心分離機（２´）が、
クランクケースガスから粒子を分離する為の複数の分離円板（７ａ‘）を伴っている遠心ロータ（７´）と、
その中に運転中に遠心ロータ（７´）が回転中心線（Ｒ´）の周りを回転するよう配置されている分離空間（８´）を規定しているロータハウジング（９´）と、
クランクケース（４´）に連結されているとともに清浄にされるべきクランクケースガスを遠心ロータ（７´）の中央部位に導くよう配置されているガス入口（５´）と、
遠心ロータ（７´）を取り囲んでいる分離空間（８´）の部位に連通するとともに分離空間（８´）の外に清浄にされたクランクケースガスを導くよう配置されているガス出口（１０´）と、そして、
遠心ロータ（７´）を取り囲んでいる分離空間（８´）の部位に連通するとともに分離空間（８´）の外へと分離されている粒子を排出する粒子出口（１１´）と、
を備えており：
分離された粒子の為の収集器（１８´）を備え、前記粒子出口（１１´）が前記収集器（１８´）に連結されていて、そして、前記収集器（１８´）が前記収集器（１８´）と前記粒子出口（１１´）との間に差圧を生じさせるよう連結（５ａ´）を介し前記ガス入口（５´）と連通するよう構成されていて、それにより、分離された粒子が、前記遠心分離機（２´）の動作中に、前記粒子出口（１１´）の外へ及び前記収集器（１８´）の中へと引かれ、前記収集器（１８´）が収集されている粒子を前記クランクケース（４´）へと排出するよう前記クランクケース（４´）に連結されている、
ことを特徴としている組立体。
【請求項５】
前記収集器（１８´）が、前記収集されている粒子が静水圧によりクランクケース（４´）へと排出されるよう、クランクケース（４´）の上方の高さに配置されている、請求項４に記載の組立体。
【請求項６】
導管（１２ｂ´）が前記収集器（１８´）からクランクケース（４´）へと前記分離された粒子を導くよう配置されていて、そして、前記導管が前記クランクケース（４）におけるオイル水準（Ｌ）の下方に配置されている排出端（１２ｃ´）を含んでいる、請求項４又は５に記載の組立体。
【請求項７】
一方向弁が収集器（１８´）とクランクケース（４´）との間に配置されていて、前記一方向弁（１９´）は、クランクケースから収集器（１８´）への流れの方向を阻止するが、収集器（１８´）からクランクケース（４´）への分離された粒子の流れの方向は許容する、請求項４乃至６の何れか１項に記載の組立体。
【請求項８】
ポンプ（２０´）が収集器（１８´）とクランクケース（４´）との間に配置されていて、前記ポンプは、分離された粒子を収集器（１８´）の外へ、そしてクランクケース（４´）中へと排出するよう配置されている、請求項４乃至７の何れか１項に記載の組立体。
【請求項９】
収集器（１８´）が、収集された粒子が連結（５ａ´）を介し遠心分離機のガス入口（５´）へと戻るよう移送されることを阻止するよう収集器（１８´）の内側に構成されている分離機を備えている、請求項４乃至８の何れか１項に記載の組立体。
【請求項１０】
収集器（１８´）の内側の前記分離機はサイクロン分離機として構成されている、請求項９に記載の組立体。
【請求項１１】
収集器（１８´）の内側の前記分離機はバッフル分離機として構成されている、請求項９に記載の組立体。
【請求項１２】
ガス出口（１０´）が、清浄にされたクランクケースガスを前記内燃機関（３´）の空気取入口（１３´）へと排出するよう配置されている、請求項４乃至１１の何れか１項に記載の組立体。
【請求項１３】
内燃機関（３´）の運転中に生じたクランクケースガス中の液体及び／又は固体の粒子の形状の汚染物質を分離する方法であって、
内燃機関のクランクケース（４´）から、クランクケースガスから前記粒子を分離する為の複数の分離円板（７ａ´）を伴っていてロータハウジング（９´）により規定されている分離空間（８´）中に回転中心線（Ｒ´）の周りに回転される遠心ロータ（７´）を備えている遠心分離機（２´）へとクランクケースガスを導く工程と、
クランクケース（４´）に連結されているガス入口（５´）を介し遠心ロータ（７´）の中心部位へと清浄化されるべきクランクケースガスを導くとともに、清浄にされたクランクケースガスを遠心ロータ（７´）を取り囲んでいる分離空間（８´）の部位に連通するよう配置されているガス出口（１０´）を介し分離空間（８´）の外へと導く工程と、そして、
分離された粒子が、遠心ロータ（７´）を取り囲んでいる分離空間（８´）の部位と連通するよう配置されている粒子出口（１１´）を介し分離空間（８´）の外に排出する工程と、
を備えていて：
分離された粒子を粒子出口（１１´）から分離された粒子の為の収集器（１８´）へと排出し、収集器（１８´）が収集器（１８´）と粒子出口（１１´）との間に差圧を生じさるよう連結（５ａ´）を介しガス入口（５´）と連通していて、それにより、分離されている粒子が遠心分離機（２´）の動作中に粒子出口（１１´）の外へ収集器（１８´）中へと引かれる工程と、そして、
収集器（１８´）中の収集されている粒子を収集器（１８´）に連結されているクランクケース（４´）へと排出する工程と、
をまた備えていることを特徴とする方法。
【請求項１４】
収集された粒子が、収集器（１８´）がクランクケース（４´）の上方の高さに位置されていることによる静水圧を介しクランクケース（４´）へと排出される、請求項１３に記載の方法。
【発明の詳細な説明】
【技術分野】
【０００１】
この発明は、請求項１の前文部に従っている、内燃機関の運転中に生じたクランクケースガスから液体及び／又は固体の粒子の形状の汚染物質を分離する為の分離装置に関係している。
【０００２】
この発明はまた、請求項５の前文部に従っている、内燃機関の運転中に生じたクランクケースガスから液体及び／又は固体の粒子の形状の汚染物質を分離する為の、内燃機関及び遠心分離機・組立体に関係している。
【０００３】
この発明はさらに、請求項１４の前文部に従っている、内燃機関の運転中に生じたクランクケースガス中の液体及び／又は固体の粒子の形状の汚染物質を分離する方法に関係している。
【背景技術】
【０００４】
図１は、内燃機関の運転中に生じたクランクケースガスから液体及び／又は固体の粒子の形状の汚染物質を分離する為の内燃機関及び遠心分離機・組立体を開示している。機関のクランクケースは、汚染されているクランクケースガスを遠心分離機を介して換気するよう配置されている。従って、クランクケースは、内燃機関の異なっている運転状況（即ち、生じるクランクガスの量が異なる結果になる異なった機関負荷及び／又は速度）でクランクケース中に所望のガス圧を維持するよう配置されている調整弁を介して遠心分離機のガス入口に連結されている。
【０００５】
ガス入口は、清浄にされるべきクランクケースガスを遠心ロータの中央部位へと導くよう構成されている。遠心ロータはクランクケースガスから粒子を分離する為の複数の分離円板を備えていて、遠心ロータはロータハウジングの内側の分離空間中に回転可能に配置されている。清浄にされたクランクケースガスは、遠心ロータを取り囲んでいる分離空間の部位に連通するよう構成されているガス出口を介してロータハウジングから排出される。
【０００６】
クランクケースガス中の粒子は複数の分離円板により分離され、そして、遠心ロータからロータハウジングの内側壁上に投げられる。粒子出口が遠心ロータを取り囲んでいる分離空間の部位に連通していて、そこでは、分離された粒子が前記内側壁に沿い流れ落ち、そして、粒子出口を介し分離空間の外へ流れる。分離された粒子は、その後、機関のクランクケースへと導かれる。
【０００７】
示されているシステムは、閉鎖されているクランクケース換気システムとして構成されている。従って、遠心分離機のガス出口からの清浄にされているクランクケースガスは、機関の空気取り入れ口へと連結されている。ガス出口は、エアーフィルタの下流かつターボチャージャーのコンプレッサーの上流で空気取り入れ口に連結されている。
【０００８】
機関及び遠心分離機の通常の運転の間には、遠心ロータを取り囲んでいる分離空間中のガス圧力は、クランクケース中の圧力よりも高い。このような圧力差は、粒子出口の外から機関のクランクケースへの分離された粒子の流れを促進するので、望ましい。清浄にされたクランクケースガスの少量は粒子出口を介してクランクケースへと流れることが出来、粒子出口の外への、そしてクランクケース中への、分離された粒子の吸引により排出を向上させる。
【０００９】
しかしながら、遠心ロータを取り囲んでいる分離空間における圧力がクランクケースにおける圧力よりも小さくなるという危険性が存在している。これは例えば、空気取り入れフィルタ上における圧力低下及び／又はクランクケースと遠心分離機との間の調整弁上における圧力低下のお蔭である。これは、クランクケースへの分離された粒子の流れに反作用する又は阻止する、分離空間とクランクケースとの間の望ましくない差圧という結果になる。それは、粒子出口を介しての遠心分離機へのクランクケースガスの望まれていない流れを生じさせることがある。分離された粒子の不適切な排出は、最終的には、遠心ロータを取り囲んでいる分離空間の内側の清浄にされているガスの汚染を導くことになる。
【発明の概要】
【００１０】
この発明の目的は、上に記載した危険性を最小にするとともに遠心分離機からの分離された粒子の信頼性のある排出を提供することである。
【００１１】
この発明の目的は、分離された粒子の為の収集器を備え、粒子出口が前記収集器に連結されていて、そして、前記収集器が前記収集器と前記粒子出口との間に差圧を生じさせるよう連結を介しガス入口と連通するよう構成されていて、それにより、分離された粒子が、遠心分離機の動作中に、前記粒子出口の外へ及び前記収集器の中へと引かれ、前記収集器が、収集されている粒子が前記連結を介し移動され前記遠心分離機の前記ガス入口へと戻ることを阻止するよう、前記収集器の内側に構成されている分離機を備えている、ことを特徴としている、最初に規定されている分離装置により達成される。
【００１２】
このようにして、本願の発明は、動作中に遠心ロータにより発生される確実な差圧の使用を行う。遠心ロータは、遠心ロータを取り囲んでいる分離空間中の圧力よりも低い圧力をガス入口に有している遠心ファンとして働く。この差圧は、収集器中へと分離されている粒子を排出する為に使用されている。清浄にされたガスの小さな量が従って、分離されている粒子を粒子出口の外へ、そして、収集器中へと効率的に引くよう、収集器を介して、粒子出口を通りガス入口へと戻り循環することが出来る。結果として、粒子出口からクランクケースへの前に言及されていたガス流れの代わりに、本願の発明は、粒子出口から遠心分離機のガス入口への循環する提供することが出来る。分離されている粒子のより確実な排出がここでは達成され、そして、分離空間中の清浄にされているガスを汚染する危険性が減少されている。
【００１４】
この発明のもう１つの実施形態においては、前記収集器の内側の前記分離機がサイクロン分離機として構成されている。従って、サイクロン分離機への入口は遠心分離機の粒子出口へと配置されていて、そして、サイクロン分離機のガス出口は遠心分離機のガス入口への連結に配置されている。サイクロン分離機はさらに、内燃機関のクランクケースへと分離されている粒子を排出するよう配置されている。
【００１５】
この発明のさらなる実施形態においては、前記収集器の内側の前記分離機がバッフル分離機（baffle separator）として構成されている。バッフル（baffle）は、例えば、それにより、分離されている粒子が収集器の内側に収集され、そしてそれによりガス入口へと移送されることを阻止している、ラビリンス通路（labyrinth path）を形成して良い。
【００１６】
この発明のさらなる目的は、粒子出口が分離された粒子の為の収集器に連結されていて、そして、前記収集器が前記収集器と前記粒子出口との間に差圧を生じさせるよう連結を介しガス入口と連通するよう構成されていて、それにより、分離された粒子が、遠心分離機の動作中に、前記粒子出口の外へ及び前記収集器の中へと引かれ、前記収集器が収集されている粒子をクランクケースへと排出するよう前記クランクケースに連結されている、ことを特徴としている最初に規定されている、内燃機関及び遠心分離機・組立体により達成される。
【００１７】
この発明の実施形態においては、前記収集器が、前記収集されている粒子が静水圧（hydrostatic pressure）によりクランクケースへと排出されるよう、クランクケースの上方の高さに配置されている。
【００１８】
この発明のさらなる実施形態においては、導管が前記収集器からクランクケースへと前記分離された粒子を導くよう配置されていて、そして、前記導管が前記クランクケースにおけるオイル水準（oil level）の下方に配置されている排出端を含んでいる。液体（油）トラップが、それにより、クランクケースの内側に形成されていて、その中のクランクケースガス（油霧）が悪い方向、即ち、クランクケースから導管を介して収集器へと、さらには遠心分離機中へと、流れるのを阻止する。
【００１９】
この発明のもう１つの実施形態においては、一方向弁が収集器とクランクケースとの間に配置されていて、前記一方向弁は、クランクケースから収集器への流れの方向を阻止するが、収集器からクランクケースへの流れの方向は許容する。
【００２０】
この発明のもう１つの実施形態においては、ポンプが収集器とクランクケースとの間に配置されていて、前記ポンプは、分離された粒子を収集器の外へ、そしてクランクケース中へと排出するよう配置されている。これにより、収集器をポンプにより排出することを可能にしている。
【００２１】
この発明のさらにもう１つの実施形態においては、収集器が、収集された粒子が連結を介し遠心分離機のガス入口へと戻るよう移送されることを阻止するよう収集器の内側に構成されている分離機を備えている。収集器の内側の前記分離機はサイクロン分離機又はバッフル分離機（baffle separator）として構成されていて良い。
【００２２】
この発明のもう１つの実施形態においては、ガス出口が、清浄にされたクランクケースガスを前記内燃機関の空気取入口へと排出するよう配置されている。
【００２３】
この発明の目的はまた：分離された粒子を粒子出口から分離された粒子の為の収集器へと排出し、収集器が収集器と粒子出口との間に差圧を生じさるよう連結を介しガス入口と連通していて、それにより、分離されている粒子が遠心分離機の動作中に粒子出口の外へ収集器中へと引かれる工程と；そして、収集器中の収集されている粒子を収集器に連結されているクランクケースへと排出する工程と、をまた備えていることを特徴とする最初に規定されている方法により達成される。
【００２４】
この発明の１つの実施形態においては、収集された粒子が、収集器がクランクケースの上方の高さに位置されていることによる静水圧を介しクランクケースへと排出される。
【図面の簡単な説明】
【００２５】
この発明の一実施形態が、例として、ここに添付されている図面を参照しながら、これから記載される。
【図１】図１は、内燃機関及び遠心分離機・組立体を示す図である。
【図２】図２は、内燃機関のクランクケースと遠心分離機との間に配置されている、分離後の粒子の為の収集器を有している遠心分離機を含むこの発明の一実施形態を示す図である。
【図３】図３は、一方向弁及びポンプが設けられている収集器のもう１つの実施形態を示す図である。
【発明を実施するための形態】
【００２６】
図１は、内燃機関及び遠心分離機・組立体１を示している。ここにおいて、遠心分離機２は、遠心分離機２を介し、汚染されているクランクケースガスを換気するよう構成されているクランクケース４を有している燃焼機関３に対し配置されている。見ることが出来るように、クランクケース４は、燃焼機関３の為の異なった運転条件（例えば、異なった流量による吹き込み率（blow-by flow rates）を与える異なった負荷及び速度条件）の間にクランクケース４中に所望のガス圧力を維持するよう配置されている調整弁６を介し遠心分離機２のガス入口５に連結されている。
【００２７】
遠心分離機２は、複数の分離円板（示されていない）を伴っている遠心ロータ７によりクランクケースガスから油霧及び煤粒子の形状の汚染物質を分離する為に構成されている。遠心ロータ７は、ロータハウジング９の内側の分離空間８中で回転中心線Ｒの周りに回転するよう配置されている。
【００２８】
見ることが出来るように、ロータハウジング９には、クランクケース４から遠心ロータ７の中央部位へと清浄にされるべきクランクケースガスを導くよう配置されているガス入口５が設けられている。さらに、ロータハウジング９には、ロータハウジング９の外へ清浄にされているクランクケースガスを排出する為のガス出口１０が設けられている。ガス出口１０は、遠心ロータ７を取り囲んでいる分離空間８の部位と連通するよう配置されている。
【００２９】
ロータハウジング９にはまた、遠心ロータ７を取り囲んでいる分離空間８の部位と連通するとともに、前記分離空間から分離されている粒子を排出するよう配置されている、粒子出口１１が設けられている。従って、動作中に複数の分離円板により分離され遠心ロータ７からロータハウジング９の内側壁上に投げられた分離されている粒子は、前記内側壁に沿い流れ落ち、そして、粒子出口１１を介しロータハウジング９の外へと流れる。粒子出口１１は、分離されている粒子（又は油）を燃焼機関３のクランクケース４へと戻すよう導くよう配置されている導管１２に連結されている。
【００３０】
示されている組立体は、いわゆる閉じられているクランクケース換気システムとして構成されていて、そこにおいては、遠心分離機のガス出口１０が前記燃焼機関の空気取入口１３に連結されている。空気取入口１３は、空気取入フィルタ１４及びターボチャージャー１６のコンプレッサー１５を備えている。ターボチャージャー１６のコンプレッサー１５は、機関の排気ガスにより駆動されるタービン１７に連結されている。ガス出口１０は、空気取入フィルタ１４の下流でコンプレッサー１５の上流において空気取入口１３に連結されている。
【００３１】
前に述べられている如く、動作状況が、遠心ロータ７を取り囲んでいる分離空間８における圧力をクランクケース４の内側の圧力よりも低くすることを生じさせる可能性がある。この好ましくない圧力差は、空気取入フィルタ１４上及びクランクケース４と遠心分離機２との間の導管上の調整弁６上における圧力低下の組み合わせのお蔭である。このような好ましくない圧力差は、粒子出口１１を介しての分離されている粒子（又は油）の排出を妨げる。それは、クランクケース４から粒子出口１１を介した、分離空間８中への導管１２における悪い流れをクランクケースガスに生じさせるかもしれない。分離されている粒子の不適切な排出は、遠心ロータ７を取り囲んでいる分離空間８の内側の清浄にされているガスの汚染を結局のところ導くことになる。
【００３２】
図２は、この発明に従っている、内燃機関及び遠心分離機・組立体１´の実施形態を示している。示されている実施形態は、上に記載されている危険性を減少させる解決を提供するとともに、遠心分離機からの分離されている粒子の確実な排出を提供する。前に記載されている組立体に従えば、この発明の実施形態は、クランクケース４´を有している燃焼機関３´に対し配置された遠心分離機２´を含み、クランクケース４´は遠心分離機２´を介して、汚染されているクランクケースガスを換気するよう構成されている。クランクケース４´は、燃焼機関３の為の異なった運転状況（例えば、異なった流れによる吹き込み率（blow-by flow rate）を与える異なった負荷及び速度条件）の間にクランクケース４´中に所望のガス圧力を維持するよう配置されている調整弁６´を介し遠心分離機２´のガス入口５´に連結されている。
【００３３】
遠心分離機２´は、複数の分離円板７ａ´を伴っている遠心ロータ７´によりクランクガスから油霧及び煤の粒子の形状の汚染物質を分離する為に配置されている。遠心ロータ７´は、ロータハウジング９´の内側の分離空間８´中で回転中心線Ｒ´の回りを回転するよう配置されている。ロータハウジング９´には、クランクケース４´から遠心ロータ７´の中央部位へと清浄にされるべきクランクケースガスを導くよう配置されているガス入口５´が設けられている。見ることが出来るように、遠心ロータ７´は、互いの上に配置された複数の分離円板７ａ´の積層を含む。複数の分離円板７ａ´には軸方向の相互間隙７ｂ´を提供するよう間隔部材が設けられていて、軸方向の相互間隙７ｂ´は遠心ロータ７´の中央部位から半径方向外方へのガスの通過流れの為である。僅かの分離円板７ａ´のみが相互間隙７ｂ´上に非常に大きな寸法を伴い示されている。しかしながら、実際には遠心ロータ７´は、相互に隣接した複数の分離円板７ａ´間に形成された薄い相互間隙７ｂ´を伴いより多くの分離円板７ａ´を含む。相互間隙７ｂ´の高さは典型的にはおおよそ０．２−０．６ｍｍの範囲にある。
【００３４】
動作中には、遠心ロータ７´がクランクケースガスを回転にもたらし、それにより、複数の分離円板７ａ´間の薄い相互間隙７ｂ´を介して流れている回転しているクランクケースガス中で遠心力により主に油霧の形状の粒子が分離される。相互間隙７ｂ´は、遠心ロータ７´を取り囲んでいる分離空間８´の半径方向の外方部位中へと開いている。清浄にされたクランクケースガスは、分離空間８´のこの外方部位中に排出される。ガス出口１０´が、遠心ロータ７´を取り囲んでいる分離空間８´の部位に連通するよう配置されていて、そこにおいては清浄にされたガスがガス出口１０´を介しロータハウジング９´の外に導かれる。
【００３５】
回転しているガス上に作用している遠心力は、粒子を複数の分離円板７ａ´の表面上に付着させる。分離された粒子はその後、遠心ロータ７´の複数の分離円板７ａ´から静止しているロータハウジング９´の内側壁上へと投げられる。ロータハウジング９´には、遠心ロータ７´を取り囲んでいる分離空間８´の部位に連通するとともに分離空間８´から分離された粒子を排出するよう配置されている粒子出口１１´が設けられている。従って、分離された粒子（主に油）は、分離空間８´の外に分離された粒子（主に油）を排出する為に配置されている粒子出口１１´へとロータハウジング９´の内側壁に沿い流れ落ちる。
【００３６】
粒子出口１１´は、分離された粒子（又は油）を分離された粒子の為の収集器１８´へと導くよう配置されている第１出口導管１２ａ´に連結されている。見ることが出来るように、収集器１８´は、粒子出口１１´と収集器１８´との間に差圧を生じさせるようガス入口５´に対し連結５ａ´を伴い構成されている。既に述べられている如く、動作中に遠心ロータは、粒子出口１１´における圧力よりも低い圧力をガス入口５´に生じさせる。従って、入口５´での減少された圧力は、連結５ａ´を介し収集器１８´に連通され、そして、それにより、遠心分離機２´の動作中に、分離された粒子は粒子出口１１´の外へ、そして、収集器１８´中へと引かれる。さらには、清浄にされたガスの小さな量が粒子出口１１´を通り連結５ａ´を介してガス入口５´へと戻り循環し、分離された粒子が粒子出口１１´を通って外へ、そして、収集器１８´中へと効率的に引かれる。
【００３７】
示されている実施形態において、収集器１８´はサイクロン分離機として構成されている。従って、サイクロン分離機への入口は第１出口導管１２ａ´を介し粒子出口１１´へと配置されていて、そして、サイクロン分離機のガス出口は連結５ａ´を介し遠心分離機のガス入口５´へと配置されている。このようにして、収集器１８´は、分離された粒子が連結５ａ´を介しガス入口５´へと戻るよう運ばれることを阻止するよう構成されている。収集器１８´又はサイクロン分離機はさらに、分離された粒子を第２出口導管１２ｂ´を介し排出するよう配置されている。結果として、収集器１８´中に蓄積した分離された粒子は、第２出口導管１２ｂ´を介しクランクケース４´へと戻る。示されている如く、収集器１８´は、収集されている粒子が静水圧（hydrostatic pressure）により（即ち、重力により）クランクケース４´へと排出されるような、クランクケース４´の上方の高さに位置されている。さらに、第２出口導管１２ｂ´は、クランクケース４´中の油水準Ｌの下方に位置されている排出端１２ｃ´を含む。液体（油）トラップが、それ故に、クランクケース４´の内側に形成されていて、その中のクランクケースガス（油霧）が誤った方向に、即ち、クランクケース４´から第２出口導管１２ｂ´を介し収集器１８´へと、またさらには、第１出口導管１２ａ´又は連結５ａ´を介し遠心分離機２´中へと、流れるのを阻止する。
【００３８】
示されている組立体は、いわゆる閉鎖されているクランクケース換気システムとして構成されていて、その中では遠心分離機のガス出口１０´が前記燃焼機関の空気取入口１３´に連結されている。空気取入口１３´は、空気取入口フィルタ１４´及びターボチャージャー１６´のコンプレッサー１５´を備える。ターボチャージャー１６´のコンプレッサー１５´は、機関の排気ガスにより駆動されているタービン１７´に連結されている。ガス出口１０´は、空気フィルタ１４´の下流においてコンプレッサー１５´の上流で空気取入口１３´に連結されている。
【００３９】
この発明は示されている実施形態に限定されず、以下に明らかにされている請求項の範囲内で変化されそして変更されることが出来る。
【００４０】
例えば、第２出口導管１２ｂ´には、クランクケース４´から収集器１８´への流れの方向は阻止するが、収集器１８´からクランクケース４´への流れの方向は許容するよう配置されている一方向弁１９´（図３参照）が設けられていることが出来る。一方向弁１９´はそれにより、第２出口導管１２ｂ´の排出端１２ｃ´がクランクケース中の油水準Ｌの上方に位置しているにしても、クランクケース中のクランクケースガス（油霧）又は油が誤った方向に流れるのを阻止する。さらに、第２出口導管１２ｂ´には、分離された粒子を収集器１８´の外へ、そしてクランクケース４´中へと、排出する為のポンプ２０´が設けられることが出来る。このようなポンプ２０´は、収集された粒子を収集器１８´からクランクケース４´へと排出する手段として、静水圧（hydrostatic pressure）を使用する代わりとして使用されることが出来る。このようなポンプ２０´はまた、（例えば、第２出口導管１２ｂ´中における捕えられたごみ又は空気の泡により）第２出口導管１２ｂ´が詰り、そして、収集された粒子の排出が阻止された不幸な事象においてもまた使用されることが出来る。これらの状況においては、収集器１８´からの分離された粒子の妨害されていない排出を回復する為に、ポンプが圧力をかけ、それにより第２出口導管１２ｂ´の詰りを流すことを引き起こすことが出来る。さらに、図３中に示されている弁１９´及びポンプ２０´は、収集器１８´に関して分離して使用されることが出来る。従って、収集器１８´の第２出口導管１２ｂ´には、ポンプ２０´無しで一方向弁１９´ｍのみを設けることが出来るし、その逆も出来る。収集器１８´はさらに、遠心分離機中に一体化されることが出来；例えば、ロータハウジング９´の下方部位中に一体化されて良く、それにより外部の第１出口導管１２ａ´及び連結５ａ´もまたロータハウジング９´中に一体化されることが出来る。
なお、この明細書の記載には以下の発明が含まれている。
［１］．
内燃機関の運転中に生じたクランクケースガスから液体及び／又は固体の粒子の形状の汚染物質を分離する為の遠心分離機（２´）を備えていて、
前記遠心分離機（２´）が、
クランクケースガスから粒子を分離する為の複数の分離円板（７ａ‘）を伴っている遠心ロータ（７´）と、
その中に遠心ロータ（７´）が回転中心線（Ｒ´）の周りを回転するよう配置されている分離空間（８´）を規定しているロータハウジング（９´）と、
清浄にされるべきクランクケースガスを遠心ロータ（７´）の中央部位に導くよう配置されているガス入口（５´）と、
遠心ロータ（７´）を取り囲んでいる分離空間（８´）の部位に連通するとともに分離空間（８´）の外に清浄にされたクランクケースガスを導くよう配置されているガス出口（１０´）と、そして、
遠心ロータ（７´）を取り囲んでいる分離空間（８´）の部位に連通するとともに分離空間（８´）の外へと分離されている粒子を排出する粒子出口（１１´）と、
を備えている分離装置であって：
分離された粒子の為の収集器（１８´）を備え、前記粒子出口（１１´）が前記収集器（１８´）に連結されていて、そして、前記収集器（１８´）が前記収集器（１８´）と前記粒子出口（１１´）との間に差圧を生じさせるよう連結（５ａ´）を介し前記ガス入口（５´）と連通するよう構成されていて、それにより、分離された粒子が、前記遠心分離機（２´）の動作中に、前記粒子出口（１１´）の外へ及び前記収集器（１８´）の中へと引かれる、
ことを特徴としている分離装置。
［２］．
前記収集器（１８´）は、収集されている粒子が前記連結（５ａ´）を介し移動され前記遠心分離機の前記ガス入口（５´）へと戻ることを阻止するよう、前記収集器の内側に構成されている分離機を備えている、前記［１］．に記載の分離装置。
［３］．
前記収集器（１８´）の内側の前記分離機がサイクロン分離機として構成されている、前記［２］．に記載の分離装置。
［４］．
前記収集器（１８´）の内側の前記分離機がバッフル分離機として構成されている、前記［２］．に記載の分離装置。
［５］．
内燃機関（３´）の運転中に生じたクランクケースガスから液体及び／又は固体の粒子の形状の汚染物質を分離する為の、内燃機関及び遠心分離機・組立体（１´）であって、前記機関のクランクケース（４´）が前記遠心分離機（２´）に連結されており、
前記遠心分離機（２´）が、
クランクケースガスから粒子を分離する為の複数の分離円板（７ａ‘）を伴っている遠心ロータ（７´）と、
その中に運転中に遠心ロータ（７´）が回転中心線（Ｒ´）の周りを回転するよう配置されている分離空間（８´）を規定しているロータハウジング（９´）と、
クランクケース（４´）に連結されているとともに清浄にされるべきクランクケースガスを遠心ロータ（７´）の中央部位に導くよう配置されているガス入口（５´）と、
遠心ロータ（７´）を取り囲んでいる分離空間（８´）の部位に連通するとともに分離空間（８´）の外に清浄にされたクランクケースガスを導くよう配置されているガス出口（１０´）と、そして、
遠心ロータ（７´）を取り囲んでいる分離空間（８´）の部位に連通するとともに分離空間（８´）の外へと分離されている粒子を排出する粒子出口（１１´）と、
を備えており：
分離された粒子の為の収集器（１８´）を備え、前記粒子出口（１１´）が前記収集器（１８´）に連結されていて、そして、前記収集器（１８´）が前記収集器（１８´）と前記粒子出口（１１´）との間に差圧を生じさせるよう連結（５ａ´）を介し前記ガス入口（５´）と連通するよう構成されていて、それにより、分離された粒子が、前記遠心分離機（２´）の動作中に、前記粒子出口（１１´）の外へ及び前記収集器（１８´）の中へと引かれ、前記収集器（１８´）が収集されている粒子を前記クランクケース（４´）へと排出するよう前記クランクケース（４´）に連結されている、
ことを特徴としている組立体。
［６］．
前記収集器（１８´）が、前記収集されている粒子が静水圧によりクランクケース（４´）へと排出されるよう、クランクケース（４´）の上方の高さに配置されている、前記［５］．に記載の組立体。
［７］．
導管（１２ｂ´）が前記収集器（１８´）からクランクケース（４´）へと前記分離された粒子を導くよう配置されていて、そして、前記導管が前記クランクケース（４）におけるオイル水準（Ｌ）の下方に配置されている排出端（１２ｃ´）を含んでいる、前記［５］．又は［６］．に記載の組立体。
［８］．
一方向弁が収集器（１８´）とクランクケース（４´）との間に配置されていて、前記一方向弁（１９´）は、クランクケースから収集器（１８´）への流れの方向を阻止するが、収集器（１８´）からクランクケース（４´）への分離された粒子の流れの方向は許容する、前記［５］．乃至［７］．の何れか１つに記載の組立体。
［９］．
ポンプ（２０´）が収集器（１８´）とクランクケース（４´）との間に配置されていて、前記ポンプは、分離された粒子を収集器（１８´）の外へ、そしてクランクケース（４´）中へと排出するよう配置されている、前記［５］．乃至［８］．の何れか１つに記載の組立体。
［１０］．
収集器（１８´）が、収集された粒子が連結（５ａ´）を介し遠心分離機のガス入口（５´）へと戻るよう移送されることを阻止するよう収集器（１８´）の内側に構成されている分離機を備えている、前記［５］．乃至［９］．の何れか１つに記載の組立体。
［１１］．
収集器（１８´）の内側の前記分離機はサイクロン分離機として構成されている、前記［１０］．に記載の組立体。
［１２］．
収集器（１８´）の内側の前記分離機はバッフル分離機として構成されている、前記［１０］．に記載の組立体。
［１３］．
ガス出口（１０´）が、清浄にされたクランクケースガスを前記内燃機関（３´）の空気取入口（１３´）へと排出するよう配置されている、前記［５］．乃至［１２］．の何れか１つに記載の組立体。
［１４］．
内燃機関（３´）の運転中に生じたクランクケースガス中の液体及び／又は固体の粒子の形状の汚染物質を分離する方法であって、
内燃機関のクランクケース（４´）から、クランクケースガスから前記粒子を分離する為の複数の分離円板（７ａ´）を伴っていてロータハウジング（９´）により規定されている分離空間（８´）中に回転中心線（Ｒ´）の周りに回転される遠心ロータ（７´）を備えている遠心分離機（２´）へとクランクケースガスを導く工程と、
クランクケース（４´）に連結されているガス入口（５´）を介し遠心ロータ（７´）の中心部位へと清浄化されるべきクランクケースガスを導くとともに、清浄にされたクランクケースガスを遠心ロータ（７´）を取り囲んでいる分離空間（８´）の部位に連通するよう配置されているガス出口（１０´）を介し分離空間（８´）の外へと導く工程と、そして、
分離された粒子が、遠心ロータ（７´）を取り囲んでいる分離空間（８´）の部位と連通するよう配置されている粒子出口（１１´）を介し分離空間（８´）の外に排出する工程と、
を備えていて：
分離された粒子を粒子出口（１１´）から分離された粒子の為の収集器（１８´）へと排出し、収集器（１８´）が収集器（１８´）と粒子出口（１１´）との間に差圧を生じさるよう連結（５ａ´）を介しガス入口（５´）と連通していて、それにより、分離されている粒子が遠心分離機（２´）の動作中に粒子出口（１１´）の外へ収集器（１８´）中へと引かれる工程と、そして、
収集器（１８´）中の収集されている粒子を収集器（１８´）に連結されているクランクケース（４´）へと排出する工程と、
をまた備えていることを特徴とする方法。
［１５］．
収集された粒子が、収集器（１８´）がクランクケース（４´）の上方の高さに位置されていることによる静水圧を介しクランクケース（４´）へと排出される、前記［１４］．に記載の方法。
【図１】
0005815884.tif 000002
【図２】
0005815884.tif 000003
【図３】
0005815884.tif 000004